(57)【特許請求の範囲】
【請求項１】
中間部分の両側面にピン１１が突出形成され、先端部にストッパー１２が備えられ、末端にカッター刃（Ｃ）が備えられたハンドルフレーム１０と、
前記ハンドルフレーム１０の底面部に付着設置され、テープ筒２１を備えたテープガイド２０と、
前記ハンドルフレーム１０の内側に回動可能に設置されるテーパー３１と、
前記ハンドルフレーム１０に回動可能に設置され、テーパー３１と対向する端部にクリンチャー４１が設置されたアーム４０と、
前記アーム４０に内蔵設置され、テープ（Ｔ）を捕捉して引き出すヘッド５０と、
前記アーム４０に回動可能に設置され、一側にハンドル６１と他側にフック６２が備えられたリンク６０、を含む園芸用結束機において、
前記テーパー３１は、一側にホルダー溝３３が備えられたテーパーフレーム３２と、
電源供給装置７０から一定電流の供給を受ける結着熱線３４が備えられる結着熱線ユニット３５と、
前記結着熱線ユニット３５が着脱され、前記ホルダー溝３３に挿入されるホルダー３６、を含んで構成され、
前記結着熱線３４は、クリンチャー４１と対向して、結着熱線３４とクリンチャー４１との間に引き込まれた両端のテープ（Ｔ）を熱で相互結着させることを特徴とする、園芸用結束機。
【請求項２】
前記ハンドルフレーム１０は、カッター刃（Ｃ）を未具備し、
前記テーパー３１は、結着熱線ユニット３５と共に、電源供給装置７０から一定電流の供給を受ける切断熱線３４’が備えられる切断熱線ユニット３５’をさらに含み、
前記ホルダー３６は、結着熱線ユニット３５と共に、切断熱線ユニット３５’をさらに着脱することが可能で、
前記クリンチャー４１は、切断熱線３４’とも対向して、切断熱線３４’とクリンチャー４１との間に引き込まれた両端のテープ（Ｔ）を熱で切断させることを特徴とする、請求項１に記載の園芸用結束機。
【請求項３】
前記クリンチャー４１は、不燃性弾性体４２をさらに含むことを特徴とする、請求項１または２に記載の園芸用結束機。
【請求項４】
前記電源供給装置７０は、テープ筒２１の一側に構成されることを特徴とする、請求項１に記載の園芸用結束機。
【請求項５】
前記電源供給装置７０は、供給する電流量と供給時間を調節する制御モジュールを含むことを特徴とする、請求項１または４に記載の園芸用結束機。
【請求項６】
前記テーパーフレーム３２は、ハンドルフレーム１０との間に作動センサー３７をさらに含むことを特徴とする、請求項１に記載の園芸用結束機。
【請求項７】
前記テーパーフレーム３２は、ハンドルフレーム１０との間に弾性部材３８をさらに含むことを特徴とする、請求項１に記載の園芸用結束機。
【請求項８】
前記ヘッド５０は、上部ケース５１と下部ケース５２にピン（５１−１）が挟まれて設置されるケースと、
前記ケースに内蔵設置されて、他側にピン（５１−１）が挟まれる長孔（５３−１）が形成され、対向側先端にフック（５３−２）が形成され、中間に作動ピン（５３−３）と固定軸（５３−４）に引張バネ（５３−５）が挟まれて回動作動するフックレバー５３と、
前記ケースに内蔵設置され、フックレバー５３の下に配置され、一側にカム溝（５４−１）が形成され、他側にピン（５１−１）が挟まれる締結孔（５４−２）が形成されたカムプレート５４と、
前記ケースに内蔵設置され、カムプレート５４の下に配置され、中間部分にカム溝（５５−１）と一側にピン（５１−１）が挟まれる長孔（５５−２）が形成され、スプリング（５５−５）が挟まれる係止具（５５−３）と回動溝（５５−４）が形成された第１ガイド５５と、
前記ケースに設置され、第１ガイド５５の下に配置され、中間部分にカム溝（５６−１）と一側にピン（５１−１）が挟まれる長孔（５６−２）が形成され、スプリング（５６−５）が挟まれる係止具（５６−３）と回動溝（５６−４）が形成された第２ガイド５６と、
前記ケースの先端部に内蔵設置されるサポート５７と、
前記ケースに内蔵設置され、中間部分の底面に回転ピン（５８−１）がケース５２に回動可能に組み立てられ、第１ガイド５５と第２ガイド５６の作動で回動ピン（５８−２）により回動する回動レバー５８と、
前記ケースの先端部でサポート上部に移動できるように挟まれて、内蔵設置されたプッシュレバー５９、を含むことを特徴とする、請求項１に記載の園芸用結束機。
【請求項９】
前記回動レバー５８は、一側底面部に回動ピン（５８−２）が第１ガイド５５と第２ガイド５６に形成された回動溝（５５−４、５６−４）に挿入されて、回動作動することを特徴とする、請求項８に記載の園芸用結束機。
【請求項１０】
前記プッシュレバー５９は、後端部にスプリング（５９−２）が挟まれて支持される係止具（５９−１）が形成されて、回動レバー５８の作動でケース先端部に出入りすることを特徴とする、請求項８に記載の園芸用結束機。
【請求項１１】
前記フックレバー５３に形成された作動ピン（５３−３）が、カムプレート５４と第１ガイド５５及び第２ガイド５６に形成されたカム溝（５４−１、５５−１、５６−１）に挟まれて作動することを特徴とする、請求項８に記載の園芸用結束機。
【発明の詳細な説明】
【技術分野】
【０００１】
本発明は、園芸作物や作物が正しく成長するように幹と枝を枝柱及び誘引紐に縛る園芸用結束機に関する技術であり、園芸用結束機の鉄針を供給するステープラーの代わりに、一側にホルダー溝が備えられたテーパーフレームと、電源供給装置から一定電流の供給を受ける結着熱線が備えられる結着熱線ユニット、及び結着熱線ユニットが着脱され、前記ホルダー溝に挿入されるホルダーを含むテーパーを構成して、鉄針なしに熱で合成樹脂材質のテープを一部溶融させて、両端のテープを相互結着可能にする園芸用結束機に関し、園芸用結束機のヘッドにおいてフックレバーの作動が段階的に柔軟に行われて、テープを捕捉して引出、テープの切断過程においてプッシューレバーが外部に突出して、テープをカッター刃に押圧して切断するように構成されることによって、フックレバーの柔軟な作動によってテープの損傷を減らして、確実に捕捉して引き出す一方、テープを切断する時にだけヘッドからプッシューレバーが外部に突出して、テープをカッターに押圧するため、作業過程においてプッシューレバーの損傷と変形を防止して、耐久性を高めるだけでなく、テープがスムーズに切断される園芸用結束機に関するものである。
【背景技術】
【０００２】
一般に、キュウリ・ブドウ・メロン・トマト等の園芸作物やツル性作物は苗木から徐々に成長しながら枝と実の重さまたは風雨によって幹や枝が折れ、さらに幹が地面に垂れること防ぐために適宜間隔をおいて枝柱を設け、そこに誘引紐を設置した後、枝柱及び誘引紐に作物の幹や枝を縛って固定させる必要がある。
【０００３】
即ち、幹と枝が細長く伸びながら成長する園芸作物やツル性作物をそのまま放置すると、枝と実の重さまたは風雨によって幹と枝が折れ、地面に垂れてしまい正しく成長できないため、幹と枝を枝柱及び誘引紐に縛って作物が正しく成長できるように固定する必要がある。
【０００４】
そのために、従来には園芸用結束機を利用してテープ（ｔａｐｅ）で作物の幹と枝を枝柱及び誘引紐に結束して作物が正しく成長するように固定し、従来園芸用結束機は大韓民国登録特許第１０−０３４７６３５号（園芸用結束機）、第１０−０７７９５００号（園芸用結束機）で提示されたことがある。
【０００５】
従来技術として提示された園芸用結束機は、図１のように、中間部分の両側面にピン１１’が突出形成され、先端部にストッパー１２’が備えられたハンドルフレーム１０’と；前記ハンドルフレーム１０’の底面部に付着設置され、テープ筒２１’を具備したテープガイド２０’と；前記ハンドルフレーム１０’の内側に回動可能に設置されて、鉄針が収容されたステープラー３０と；前記ハンドルフレーム１０’に回動可能に設置されて、ステープラー３０と対向する端部にクリンチャー４１’が設置されたアーム４０’と；前記アーム４０’に内蔵設置されて、テープを捕捉して引き出すヘッド５０’と；前記アーム４０’に回動可能に設置されて、一側にハンドル６１’と他側にフック６２’が備えられたリンク６０’；を含んで構成される。
【０００６】
従来技術の園芸用結束機は、作業者がテープガイド２０’とハンドル６１’を把持した状態でハンドル６１’を押圧してアーム４０’を１回引き締めると、テープ筒２１’からテープガイド２０’を通して出たテープの先端が、アーム４０’に設置されたヘッド５０’のフックレバーと押圧レバーに捕捉され、この状態でテープガイド２０’とアーム４０’を広げると、フックレバーと押圧レバーにテープが捕捉された状態で牽引されて引き出され、作業者はテープを作物の枝と枝柱または誘引紐に掛けて巻いて、テープガイド２０’とハンドル６１’を以前より強力に押圧して、アーム４０’を引き締めると、作物の枝と枝柱または誘引紐に巻かれたテープの両端がステープラー３０の鉄針によって結束されると同時にハンドルフレーム１０’に設置されたカッター刃によって切断される構成を有するが、テープ両端を結着させる構成が、ステープラー３０’を利用するため、ステープラー方式で用いられる鉄針によって様々な問題が発生して、これに対する持続的な研究開発が求められる。
【発明の概要】
【発明が解決しようとする課題】
【０００７】
本発明は、園芸作物や作物が正しく成長するように、幹と枝を枝柱及び誘引紐に縛る園芸用結束機の従来技術の問題を改善するために案出された技術であり、鉄針を利用するステープラーで構成される従来の園芸用結束機は、持続的に使用するためには、鉄針を継続的に供給しなければならなく、ステープラーから供給する鉄針とアームに構成されたクリンチャーの鉄針溝が正確に一致してこそ鉄針が適切に両端のテープを相互結着させられる問題が生じ、園芸用結束機の使用中に鉄針がステープラーに曲がった状態で挟まれたり、使い切れた場合には作業を中断しなければならない問題があり、従来園芸用結束機においてテープの捕捉と切断がスムーズに行われない問題と、テープの先端が破損したり裂けてテープが確実に捕捉されない問題が発生するため、これを解決することを目的とする。
【課題を解決するための手段】
【０００８】
本発明は、前記の目的を解決するために、ハンドルフレーム、テープガイド、テーパー、アーム、ヘッド、リンクで構成される園芸用結束機において、前記テーパーは、カバーが付着され、一側にホルダー溝が備えられたテーパーフレームと；電源供給装置から一定電流の供給を受ける結着熱線が備えられる結着熱線ユニットと；前記結着熱線ユニットが着脱されて、前記ホルダー溝に挿入されるホルダー；を含んで構成され、前記結着熱線は、クリンチャーと対向して結着熱線とクリンチャーとの間に引き込まれた両端のテープを熱で相互結着させる園芸用結束機を提示し、前記ヘッドは、上部ケースと下部ケースで構成されるケースと；前記ケースに内蔵設置されて、引張バネが挟まれて回動作動するフックレバーと；前記ケースに内蔵設置されて、カム溝が形成されたカムプレートと；前記ケースに内蔵設置されて、カム溝とスプリングが挟まれる係止具が形成された第１ガイドと；前記ケースに内蔵設置されて、カム溝とスプリングが挟まれる係止具が形成された第２ガイドと；前記ケースに内蔵設置されたサポートと；前記ケースに内蔵設置されて、第１ガイドと第２ガイドの作動で回動する回動レバーと；前記ケースに内蔵設置されて、回動レバーの作動によってケースから出入りするプッシューレバー；を含む園芸用結束機を提示する。
【発明の効果】
【０００９】
前記のように提示された本発明に係る園芸用結束機は、鉄針を供給するステープラーの代わりにテーパーが構成されて、鉄針ではなく熱で合成樹脂材質のテープを一部溶融させて、両端のテープを相互結着させることができ、従来ステープラーが構成される園芸用結束機は、持続的に使用するために鉄針を継続的に供給しなければならず、ステープラーから供給する鉄針と、アームに構成されたクリンチャーの鉄針溝が正確に一致しないことで発生する問題を解決し、園芸用結束機の使用中に鉄針が、ステープラーに曲がった状態で挟まれたり、使い切られた場合には、作業を中断しなければならない問題を解決し、相互結着されるテープ両端を熱で結着させられる効果が得られる。
【００１０】
また、本発明は、園芸用結束機のヘッドにおいて、フックレバーの作動が段階的に柔軟に行われて、テープを捕捉して引き出し、テープの切断過程でプッシューレバーが外部に突出して、テープをカッター刃に押圧して切断するように構成されることによって、フックレバーの柔軟な作動によって、テープの損傷を減らして、確実に捕捉して引き出す一方、テープを切断する時にだけヘッドでプッシューレバーが外部に突出して、テープをカッター刃に押圧するため、作業過程でプッシューレバーの損傷や変形を防ぎ、耐久性を高めるだけでなくテープがスムーズに切断される効果を実現する。
【図面の簡単な説明】
【００１１】
【図１】従来技術に係る園芸用結束機を示した側面図である。
【図２】乃至
【図５】本発明の好ましい実施形態に係る園芸用結束機を示した側面図である。
【図６】本発明の好ましい実施形態に係る園芸用結束機のテーパーとハンドルフレームの結合状態を示した部分斜視図である。
【図７】本発明の好ましい実施形態に係る園芸用結束機のテーパーとハンドルフレームの分離状態を示した部分斜視図である。
【図８】（ａ）乃至（ｃ）は、本発明の好ましい実施形態に係る園芸用結束機の結着熱線を示した部分斜視図である。
【図９】本発明の好ましい実施形態に係る園芸用結束機のテーパーの作動状態を示した部分斜視図である。
【図１０】本発明の好ましい実施形態に係る園芸用結束機のテーパーを示した部分斜視図（切断熱線ユニットが構成された場合）である。
【図１１】本発明の好ましい実施形態に係る園芸用結束機のテーパーの作動状態を示した部分斜視図（切断熱線ユニットが構成された場合）である。
【図１２】本発明の好ましい実施形態に係る園芸用結束機を示した側面図（切断熱線ユニットが構成された場合）である。
【図１３】本発明の好ましい実施形態に係る園芸用結束機の作動状態を示した側面図（切断熱線ユニットが構成された場合）である。
【図１４】本発明の好ましい実施形態に係る園芸用結束機を示した側面図（電源供給装置がテープ筒に構成された場合）である。
【図１５】本発明の好ましい実施形態に係る園芸用結束機のヘッドを示した分解斜視図である。
【図１６】本発明の好ましい実施形態に係る園芸用結束機のヘッド組み立て状態を示した斜視図である。
【図１７】本発明の好ましい実施形態に係る園芸用結束機のヘッド主要部品を示した側面図である。
【図１８】乃至
【図１９】本発明の好ましい実施形態に係る園芸用結束機のヘッド初期作動状態図である。
【図２０】乃至
【図２１】本発明の好ましい実施形態に係る園芸用結束機のヘッドの１段階作動状態図である。
【図２２】本発明の好ましい実施形態に係る園芸用結束機の１段階作動状態を示した園芸用結束機の側面である。
【図２３】乃至
【図２４】本発明の好ましい実施形態に係る園芸用結束機のヘッドの２段階作動状態図である。
【図２５】本発明の好ましい実施形態に係る園芸用結束機の２段階作動状態を示した園芸用結束機の側面図である。
【図２６】乃至
【図２７】本発明の好ましい実施形態に係る園芸用結束機のヘッドの３段階作動状態図である。
【図２８】本発明の好ましい実施形態に係る園芸用結束機の３段階作動状態を示した園芸用結束機の側面図である。
【図２９】本発明の好ましい実施形態に係る園芸用結束機の３段階作動状態を示した要部側面図である。
【図３０】乃至
【図３１】本発明の好ましい実施形態に係る園芸用結束機のヘッドの４段階作動状態図である。
【発明を実施するための形態】
【００１２】
本発明は、園芸作物や作物が正しく成長するように幹と枝を枝柱及び誘引紐に縛る園芸用結束機に関する技術であり、園芸作物や作物が正しく成長するように幹と枝を枝柱及び誘引紐に縛るハンドルフレーム１０、テープガイド２０、テーパー３１、アーム４０、ヘッド５０、リンク６０で構成される園芸用結束機に関し、前記テーパー３１は、カバーが付着して一側にホルダー溝３３が備えられたテーパーフレーム３２と；電源供給装置７０から一定電流の供給を受ける結着熱線３４が備えられる結着熱線ユニット３５と；前記結着熱線ユニット３５が着脱され、前記ホルダー溝３３に挿入されるホルダー３６；を含んで構成され、前記結着熱線３４は、クリンチャー４１と対向して結着熱線３４とクリンチャー４１との間に引き込まれた両端のテープ（Ｔ）を熱で相互結着させる園芸用結束機に関するものである。
【００１３】
以下、本発明の実施形態を図示した図１乃至図３１を参照して、本発明を具体的に説明する。
【００１４】
具体的に、本発明に係る園芸用結束機のハンドルフレーム１０は、中間部分の両側面にピン１１が突出形成され、先端部にストッパー１２が外側に突出して構成される。また、テープガイド２０は、テープ筒２１が一側に備えられ、ハンドルフレーム１０の底面部に付着設置され、テープ筒２１に収納されたテープリールからテープ（Ｔ）が巻き出されてテープガイド２０の内部を通して引き出される。また、アーム４０は、下端部がハンドルフレーム１０の下部に回動可能に設置され、テーパー３１と対向する上端部にクリンチャー４１が設置される。また、ヘッド５０は、アーム４０上部に内蔵設置され、フックレバーが回動作動してテープ（Ｔ）の先端部を捕捉して引出し、また、リンク６０は、アーム４０に回動可能に設置され、一側に作業者が手で把持するハンドル６１が備えられ、他側にフック６２が備えられてハンドルフレーム１０のピン１１に結束される。
【００１５】
前記のように構成された本発明の園芸用結束機は、図３のように作業者がテープガイド２０とハンドル６１を手で把持した状態で、ハンドル６１を押圧してアーム４０を１回軽く引き締めると、テープ筒２１からテープガイド２０を通して出たテープ（Ｔ）の先端が、アーム４０に設置されたヘッド５０のフックレバーとサポートに捕捉され、この状態で図４のようにハンドル６１の押圧力を解除してアーム４０を広げると、ヘッド５０のフックレバーとサポートにテープ（Ｔ）が捕捉された状態で牽引されて引き出され、次に作業者は、図５のようにテープ（Ｔ）を作物の枝と枝柱または誘引紐に掛けて巻いて、ハンドル６１を以前より強力に押圧してアーム４０を引き締めると、テーパー３１にクリンチャー４１が押圧されながら作物の枝と枝柱または誘引紐に巻かれたテープ（Ｔ）の両端がテーパー３１から発生した熱で相互結着されると同時にハンドルフレーム１０に設置されたカッター刃（Ｃ）によってテープ（Ｔ）が切断される。従って、作物の枝と枝柱または誘引紐にテープ（Ｔ）が巻かれた後、テーパー３１から発生した熱で相互結着され、さらにカッター刃（Ｃ）にテープ（Ｔ）が切断されるため、作物が正しく成長するように枝柱または誘引紐にテープ（Ｔ）で作物の枝を縛るようになる。
【００１６】
前記と関連して、本発明の主要構成である前記テーパー３１は、ハンドルフレーム１０の内側に回動可能に設置され、一側にホルダー溝３３が備えられたテーパーフレーム３２と；電源供給装置７０から一定電流の供給を受ける結着熱線３４が備えられる結着熱線ユニット３５と；前記結着熱線ユニット３５が着脱され、前記ホルダー溝３３に挿入されるホルダー３６；を含んで構成され、前記結着熱線３４は、クリンチャー４１と対向して結着熱線３４とクリンチャー４１との間に引き込まれた両端のテープ（Ｔ）を熱で相互結着させる構成を有する。
【００１７】
具体的に、従来技術に係る園芸用結束機は、ステープラー３０から供給される鉄針をクリンチャー４１で曲げて、作物の枝と枝柱または誘引紐を巻いている両端のテープ（Ｔ）を結着したが、本発明に係るテーパー３１は、鉄針を供給するステープラー３０の代わりにテーパー３１を構成することによって、鉄針なしに熱で合成樹脂材質のテープ（Ｔ）を一部溶融させて、両端のテープ（Ｔ）を相互結着させる。即ち、前記テーパーフレーム３２の一側（ヘッド５０が構成されている方向）のホルダー溝３３は、従来園芸用結束機のステープラー３０から鉄針が供給される位置に構成されて、鉄針の代わりに熱を供給する熱線ユニットに電流を供給し、熱線ユニットを安定的に着脱させられるホルダー３６を内入させるための構成である。
【００１８】
この時、テーパーフレーム３２のホルダー溝３３外側には、補助刃１３とテープ引込部６４が備えられるヘッド対応ユニット６３を結着させてヘッド５０のフックレバーのフック（５３−２）が、テープ引込部６４から供給するテープ（Ｔ）を確実に捕捉して、補助刃１３としてカッター刃（Ｃ）がテープ（Ｔ）を容易に切断できるように構成するのは当然である。
【００１９】
また、電源供給装置７０から一定電流の供給を受ける結着熱線３４が備えられる結着熱線ユニット３５は、所定の抵抗を有し、一定電流が供給されると熱を発生させる熱線を利用して、合成樹脂材質で製造されるテープ（Ｔ）を一部溶融させて、溶融した部分から発生する合成樹脂の結着力で両端のテープ（Ｔ）を相互結着させる効果を発揮する。前記のように結着熱線３４が備えられる結着熱線ユニット３５は、ホルダー３６と分離−結着できるように構成することによって、ホルダー３６に構成される正極と負極の電源ソケットに結着熱線ユニット３５の各々の電極を対応させて差し込んで、簡単にホルダー３６から電源の供給を受けることができ、使用中に結着熱線３４が切れた場合には、フューズのように結着熱線ユニット３５をホルダー３６から分離させて交替できるようにする効果を発揮する（この時、当業者は判断により結着熱線ユニット３５とホルダー３６が一体化するように構成してもよいことは自明である）。
【００２０】
このような結着熱線３４の効果は、鉄針を利用するステープラー３０が構成される園芸用結束機に比べて持続的に使用するために鉄針を継続的に供給しなければならず、使用中鉄針がステープラー３０に曲がった状態で挟まれたり使い切られた場合には、作業を中断しなければならない問題を解決するだけでなく、鉄針なしに熱で合成樹脂材質のテープ（Ｔ）を一部溶融させて、両端のテープ（Ｔ）を相互結着させるため、鉄針を利用した両端テープ（Ｔ）結着方式よりテープ（Ｔ）の厚さが薄くて済む効果も発揮する。
【００２１】
また、本発明は結着熱線３４を図８の（ｂ）乃至（ｃ）のように「━━━」または「┃┃┃┃」等の形態で構成して、結着熱線３４から発生した熱によって相互結着される両端テープ（Ｔ）結着部分の一部は溶融し、残りは溶融しないように構成することによって、結着熱線３４に加えられる電流量または結着熱線３４の抵抗による結着熱線３４から発生する熱の温度に関係なく両端のテープ（Ｔ）をスムーズに相互結着できる効果が得られる。
【００２２】
また、本発明に係る前記クリンチャー４１は、結着熱線３４が結着熱線３４に対応面にだけ位置すると、両端のテープ（Ｔ）に一定の押圧力を加えることができるため、従来技術による園芸用結束機がステープラー３０から供給する鉄針とアームに構成されたクリンチャー４１の鉄針溝が正確に一致してこそ、鉄針が適切に両端のテープ（Ｔ）を相互結着させられる問題を解決する効果を発揮する。前記と関連して、本発明に係るクリンチャー４１は、テーパー３１の結着熱線３４と対向する面に一定の弾性力を有し、ハンドル６１を押圧してアーム４０を引き締めると、クリンチャー４１方向に対応してクリンチャー４１によって押圧される両端のテープ（Ｔ）及び結着熱線３４を一定部分収容でき、結着熱線３４から発生した熱によっても変形及び損傷が少ない不燃性弾性体４２をさらに含むことができる。
【００２３】
また、本発明は、結着熱線３４とクリンチャー４１との間に引き込まれて、作物の枝と枝柱または誘引紐を巻いている両端のテープ（Ｔ）を熱で相互結着させる結着熱線３４を具備する結着熱線ユニット３５と共に、図１０乃至１３のようにハンドルフレーム１０の末端に備えられるカッター刃（Ｃ）の代わりに電源供給装置７０から一定電流の供給を受ける切断熱線３４’が備えられる切断熱線ユニット３５’をさらに含み、ホルダー３６は、結着熱線ユニット３５と共に切断熱線ユニット３５’をさらに着脱可能であり、クリンチャー４１は、切断熱線３４’とも対向して、切断熱線３４’とクリンチャー４１との間に引き込まれた両端のテープ（Ｔ）を熱で切断する構成が可能である。即ち、切断熱線ユニット３５’は、結着熱線ユニット３５の電極と共に切断熱線３４’の電極を連結するためのホルダー３６の正極と負極の電源ソケットに切断熱線ユニット３５’の各々の電極を対応させて差し込んで、ホルダー３６から簡単に電源の供給を受け、使用中に切断熱線３４’が切れた場合には、切断熱線ユニット３５’をホルダー３６から分離させて、交替できるようにする効果を発揮し、従来カッター刃（Ｃ）を利用して両端のテープ（Ｔ）を切断する構成の園芸用結束機に比べて、両端のテープ（Ｔ）切断時、作業者がハンドル６１を把持して押圧する力が少なくて済む効果が得られる。
【００２４】
前記と関連して、本発明に係る電源供給装置７０は、結着熱線３４または切断熱線３４’に一定電流を供給するために結着熱線３４が備えられる結着熱線ユニット３５、または切断熱線３４’が備えられる切断熱線ユニット３５’の各々の電極が挿入されるホルダー３６に一定電流を供給するが、この時、供給される電流は、本発明に係る園芸用結束機のいかなる構成で供給されてもよいが、テーパーフレーム３２の内部に電線７１を構成して、園芸用結束機の外部に構成される電源供給装置７０からホルダー３６に安全に電流を供給するのが好ましい。また、園芸用結束機の外部に構成される電源供給装置７０は、作業者がスムーズに作業できるように、一次または二次電池を利用するのが好ましく、電線７１を長く延ばして作業者が持つようにし、図１４のようにテープ筒２１の一側に電源供給装置７０を構成して、園芸用結束機と一体化した電源供給装置７０を実現すると同時に簡便となった電源供給装置７０の構成によって、作業能率性も向上できる効果を発揮する。
また、本発明は、結着熱線３４または切断熱線３４’に供給される電流量と、供給時間を調節するための制御モジュール（図示せず）を電源供給装置７０または園芸用結束機の一定位置に構成することによって、結着熱線３４に適量の電流を適切時間供給して、両端のテープ（Ｔ）を確実に結着させて、切断熱線３４’に適量の電流を適切時間供給して、結着熱線３４によって結着された両端のテープ（Ｔ）の外側の一定位置を切断できるようにする効果が得られる。この時、当業者は一次または二次電池に保存された電源の電圧が、園芸用結束機の持続的な使用によって低下し、両端のテープ（Ｔ）が結着熱線３４によって不十分に結着されたり切断熱線３４’によって不完全に切断されるのを防ぐため、制御モジュールの電圧調節ができるように構成してもよい。
【００２５】
本発明に係る園芸用結束機は、前記電源供給装置７０と共にテーパーフレーム３２がハンドルフレーム１０との間に結着熱線３４または切断熱線３４’に電流供給するか否かを調節する作動センサー３７をさらに含んでもよい。
【００２６】
具体的に、電源供給装置７０から供給される電流が、作業中に常に結着熱線３４または切断熱線３４’に供給されると、電流が過度に所要され、結着熱線３４または切断熱線３４’の寿命が短縮されるため、電源供給装置７０から供給される電流供給の可否を調節する作動センサー３７が、園芸用結束機のいずれかの構成と連係して構成されるのが好ましく、本発明に係る園芸用結束機は、前記作動センサー３７をテーパーフレーム３２とハンドルフレーム１０との間に構成して、作業者が両端のテープ（Ｔ）を相互結着させるために、ハンドル６１に加えた加圧力で作動センサー３７が作動するように構成してもよい。
【００２７】
また、本発明は、図７のようにテーパーフレーム３２がハンドルフレーム１０との間に弾性部材３８をさらに含まれるように構成してもよい。前記弾性部材３８は、作業者が両端のテープ（Ｔ）を相互結着させるために、ハンドル６１に加えた加圧力の一部を緩衝して、クリンチャー４１と結着熱線ユニット３５、またはクリンチャー４１と切断熱線ユニット３５’が無理な加圧力によって損傷するのを防げて、作動センサー３７がテーパーフレーム３２とハンドルフレーム１０との間に構成される場合には、作動センサー３７のセンサー作動方式を加圧力だけでなく、スイッチ方式で構成できるようにする効果も得られる。
【００２８】
また、前記ヘッド５０は、アーム４０上部に内蔵設置され、フックレバー５３が回動作動して、テープ（Ｔ）の先端部を捕捉して引出し、また、前記のリンク６０はアーム４０に回動可能に設置され、一側に作業者が手で把持するハンドル６１が備えられ、他側にフック６２が備えられるハンドルフレーム１０のピン１１に結束される。
【００２９】
このような構成からなる園芸用結束機は、作業者がテープガイド２０とハンドル６１を手で把持した状態で、ハンドル６１を加圧してアーム４０を１回軽く引き締めると、テープ筒２１からテープガイド２０を通して出たテープ（Ｔ）の先端が、アーム４０に設置されたヘッド５０のフックレバー５３とサポート５７に捕捉され、この状態でハンドル６１の加圧力を解除してアーム４０を広げると、ヘッド５０のフックレバー５３とサポート５７にテープ（Ｔ）が捕捉された状態で牽引されて引出され、次に作業者は、テープ（Ｔ）を作物の枝と枝柱または誘引紐に掛けて巻いて、ハンドル６１を以前より強力に加圧して、アーム４０を引き締めると、結着熱線３４にクリンチャー４１が加圧されながら作物の枝と枝柱または誘引紐に巻かれたテープ（Ｔ）の両端が熱で相互結束されると同時に、ハンドルフレーム１０に設置されたカッター刃（Ｃ）でテープ（Ｔ）が切断される（カッター刃の代わりに切断熱線３４’が構成された場合には、切断熱線によってテープが切断されることは自明であり、以下「カッター刃」と称した場合には、切断熱線を含む概念である）。
【００３０】
従って、作物の枝と枝柱または誘引紐にテープ（Ｔ）が巻かれた後、結着熱線３４とクリンチャー４１によってテープ（Ｔ）が結束され、また、カッター刃（Ｃ）でテープ（Ｔ）が切断されるため、作物が正しく成長するように枝柱または誘引紐にテープ（Ｔ）で作物の枝を縛るようになる。
【００３１】
次に、本発明の実施形態に係る園芸用結束機において、ヘッド５０の主要構成を見ると、上部ケース５１と下部ケース５２で構成されるケースと；前記ケースに内蔵設置されて引張バネ（５３−５）が挟まれて回動作動するフックレバー５３と；前記ケースに内蔵設置されてカム溝（５４−１）が形成されたカムプレート５４と；前記ケースに内蔵設置されてカム溝（５５−１）とスプリング（５５−５）が挟まれる係止具（５５−３）が形成された第１ガイド５５と；前記ケースに内蔵設置されてカム溝（５６−１）とスプリング（５６−５）が挟まれる係止具（５６−３）が形成された第２ガイド５６と；前記ケースに内蔵設置されるサポート５７と；前記ケースに内蔵設置されて第１ガイド５５と第２ガイド５６の作動で回動する回動レバー５８と；前記ケースに内蔵設置されて回動レバー５８の作動でケースから出入りするプッシューレバー５９；を含んで具現される。
【００３２】
前記実施形態の主要構成において、ケースは、図１５乃至図１７のように、上部ケース５１と下部ケース５２で構成され、前記上部ケース５１及び下部ケース５２にピン（５１−１）が挟まれて設置され、上部ケース５１と下部ケース５２にフックレバー５３、カムプレート５４、第１ガイド５５、第２ガイド５６、サポート５７、回動レバー５８、プッシューレバー５９が内蔵設置される。
【００３３】
前記フックレバー５３は、一側にピン（５１−１）が挟まれる長孔（５３−１）が細長く形成され、対向側先端に鉤状でフック（５３−２）が形成される一方、中間部分に作動ピン（５３−３）と固定軸（５３−４）が相互対称に形成され、前記固定軸（５３−４）に引張バネ（５３−５）が挟まれて設置される。
【００３４】
0005530033.tif 000002
【００３５】
0005530033.tif 000003
【００３６】
また、前記サポート５７は、フックレバー５３に噛み合わせてテープ（Ｔ）を捕捉する機能として、ハンドルフレーム１０のストッパー１２と結着熱線３４に対向するようにケースの先端部に内蔵されて固定設置される。
【００３７】
また、前記回動レバー５８は、第１ガイド５５と第２ガイド５６の作動により回動作動する機能として、中間部分の底面に回転ピン（５８−１）が形成されてケースに回動可能に組み立てられ、第１ガイド５５と第２ガイド５６に形成された回動溝（５５−４、５６−４）に挿入されるように一側底面部に回動ピン（５８−２）が形成される。
【００３８】
また、前記プッシューレバー５９は、回動レバー５８の作動によりケース内部から外部に出入りする機能として、ケースの先端部でサポート５７の上部に位置するように移動できるように挟まれて設置され、後端部にスプリング（５９−２）が挟まれて支持される係止具５９−１）が形成される。
【００３９】
このように構成されたヘッド５０の組み立て過程は、まず下部ケース５２の中に置かれるように長孔（５６−２）にピン（５１−１）が挟まれて第２ガイド５６が設置され、前記第２ガイド５６上に第１ガイド５５が置かれて長孔（５５−２）にピン（５１−１）が挟まれて設置される一方、第１ガイド５５と第２ガイド５６の係止具（５５−３、５６−３）に各々スプリング（５５−５、５６−５）が挟まれて弾性支持され、前記第１ガイド５５と第２ガイド５６の回動溝（５５−４、５６−４）に回動ピン（５８−２）が挿入されるように回動レバー５８が下部ケース５２に挟まれて設置される。
【００４０】
次に、第１ガイド５５上にカムプレート５４が置かれて、締結孔（５４−２）にピン（５１−１）が挟まれて設置され、前記カムプレート５４上に置かれて設置されるフックレバー５３は、長孔（５３−１）にピン（５１−１）が挟まれ、作動ピン（５３−３）がカムプレート５４と第１ガイド５５及び第２ガイド５６に形成されたカム溝（５４−１、５５−１、５６−１）に挟まれる一方、引張バネ（５３−５）が固定軸（５３−４）に挟まれて弾性力を受けるように設置される。
【００４１】
また、サポート５７が、上部ケース５１及び下部ケース５２の先端負荷に挟まれて設置され、その上にスプリング（５９−２）の弾性力を受けるようにプッシューレバー５９が移動できるように挟まれて設置される。
【００４２】
このような構成からなるヘッド５０の作動過程を見ると、まずヘッド５０の初期状態は、園芸用結束機においてアーム４０が広がって位置し、図１８乃至図１９のように、フックレバー５３の作動ピン（５３−３）が、第１ガイド５５のカム溝（５５−１）において上部段に係止され、フックレバー５３が上側に回動された状態を維持する。
【００４３】
前記初期状態、で作業者が園芸用結束機のハンドル６１を加圧して、アーム４０を１回軽く引き締めると、図２０乃至図２２のようにハンドルフレーム１０のストッパー１２に第１ガイド５５と第２ガイド５６が加圧されながら後方に押されて、フックレバー５３の作動ピン（５３−３）が下降して、第２ガイド５６のカム溝（５６−１）において下部段に係止され一次的に回動する。
【００４４】
次に、作業者がハンドル６１の加圧力を解除すると、図２３乃至図２５のようにハンドルフレーム１０のストッパー１２が、第１ガイド５５と第２ガイド５６から離れて加圧力が喪失されるため、第１ガイド５５と第２ガイド５６が、スプリング（５５−５、５６−５）の弾性力を受けて、前方に押されながらフックレバー５３の作動ピン（５３−３）が第１ガイド５５と第２ガイド５６のカム溝（５５−１、５６−１）において、下部空間に下降してフックレバー５３が２次的に回動しながらテープ（Ｔ）の先端部をフック（５３−２）が刺して、サポート５７に捕捉されてアーム４０が広がって、テープ（Ｔ）を牽引するため、テープ（Ｔ）がテープ筒２１からテープガイド２０を通して引き出される。
次は、図２６乃至図２９のように、作業者が引出されたテープ（Ｔ）を作物の枝と枝柱または誘引紐に掛けて巻いて、園芸用結束機のハンドル６１を以前より強力に加圧して、アーム４０を引き締めると、結着熱線３４にクリンチャー４１が加圧されながら作物の枝と枝柱または誘引紐に巻かれたテープ（Ｔ）の両端が熱によって結束される。
【００４５】
また、ハンドルフレーム１０のストッパー１２に第１ガイド５５と第２ガイド５６が加圧されながら後方に押されて、フックレバー５３の作動ピン（５３−３）がカムプレート５４のカム溝（５４−１）から上部段に上昇しながらフックレバー５３が上側に回動して、テープ（Ｔ）から離脱し、これと同時に第１ガイド５５と第２ガイド５６の作動で回動レバー５８が回動作動して、プッシューレバー５９を外部に押して、プッシューレバー５９の先端部がテープ（Ｔ）をカッター刃（Ｃ）に押して切断する。
【００４６】
次に、作業者がハンドル６１の加圧力を解除すると、アーム４０が広がりながら図３０乃至図３１のように、ストッパー１２が第１ガイド５５と第２ガイド５６から離れて加圧力が喪失されるため、第１ガイド５５と第２ガイド５６がスプリング（５５−５、５６−５）の弾性力を受けて、前方に押されながらフックレバー５３の作動ピン（５３−３）が第１ガイド５５のカム溝（５５−１）で上部段に係止されて初期状態に位置し、これと同時に第１ガイド５５と第２ガイド５６の作動によって、回動レバー５８が回動作動して、初期状態に位置しながらプッシューレバー５９をケースの内側に引き寄せて、初期状態に位置する。
【００４７】
従って、本発明の実施形態は、ヘッドにおいてフックレバーの作動が段階的に柔軟に行われて、テープを捕捉して引き出すため、テープの損傷を減らし、確実に捕捉して引き出す一方、テープを切断する時にだけヘッドでプッシューレバーが外部に突出して、テープをカッター刃に加圧するため、作業過程でプッシューレバーの損傷と変形を防ぎ、耐久性を高めるだけでなくテープがスムーズに切断される。
【００４８】
以上、本発明の好ましい実施形態を参照して説明したが、前記実施形態に限定されず、前記実施形態を通して本発明が属する技術分野において通常の知識を有する者が本発明の要旨を逸脱しない範囲で多様に変更して実施できる。
【符号の説明】
【００４９】
１０      ハンドルフレーム
１１      ピン
１２      ストッパー
１３      補助刃
２０      テープガイド
２１      テープ筒
３１      テーパー
３２      テーパーフレーム
３３      ホルダー溝
３４      結着熱線
３４'      切断熱線
３５      結着熱線ユニット
３５'      切断熱線ユニット
３６      ホルダー
３７      作動センサー
３８      弾性部材
４０      アーム
４１      クリンチャー
４２      不燃性弾性体
５０      ヘッド
５１      上部ケース
５２      下部ケース
５３      フックレバー
５４      カムプレート
５５      第１ガイド
５６      第２ガイド
５７      サポート
５８      回動レバー
５９      プッシューレバー
６０      リンク
６１      ハンドル
６２      フック
６３      ヘッド対応ユニット
６４      テープ引込部
７０      電源供給装置
７１      電線
Ｃ        カッター刃
Ｔ        テープ
【図１】
0005530033.tif 000004
【図２】
0005530033.tif 000005
【図３】
0005530033.tif 000006
【図４】
0005530033.tif 000007
【図５】
0005530033.tif 000008
【図６】
0005530033.tif 000009
【図７】
0005530033.tif 000010
【図８（ａ）】
0005530033.tif 000011
【図８（ｂ）】
0005530033.tif 000012
【図８（ｃ）】
0005530033.tif 000013
【図９】
0005530033.tif 000014
【図１０】
0005530033.tif 000015
【図１１】
0005530033.tif 000016
【図１２】
0005530033.tif 000017
【図１３】
0005530033.tif 000018
【図１４】
0005530033.tif 000019
【図１５】
0005530033.tif 000020
【図１６】
0005530033.tif 000021
【図１７】
0005530033.tif 000022
【図１８】
0005530033.tif 000023
【図１９】
0005530033.tif 000024
【図２０】
0005530033.tif 000025
【図２１】
0005530033.tif 000026
【図２２】
0005530033.tif 000027
【図２３】
0005530033.tif 000028
【図２４】
0005530033.tif 000029
【図２５】
0005530033.tif 000030
【図２６】
0005530033.tif 000031
【図２７】
0005530033.tif 000032
【図２８】
0005530033.tif 000033
【図２９】
0005530033.tif 000034
【図３０】
0005530033.tif 000035
【図３１】
0005530033.tif 000036